(57)【特許請求の範囲】
【請求項１】
読み取りを行う側から、
ホログラム加工が施され、第１の旋回方向の円偏光を選択的に反射するコレステリック液晶層と、
読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、
読み取りの対象となるコードが形成され、通常は不可視であり、特定波長領域の光を照射した状態で見えるコード表示層と
を順に備え、
光学読み取り装置により前記コードと同時に読み取った際に、前記コードの情報の読み取りを阻害するホログラム像が前記ホログラム加工により形成されていることを特徴とする識別媒体。
【請求項２】
前記コードが、バーコード、２次元コード、ＯＣＲコード、ホログラムコード、カラーコードから選ばれた一または複数により構成されることを特徴とする請求項１に記載の識別媒体。
【請求項３】
前記コードが肉眼では認識し難い大きさを有することを特徴とする請求項２に記載の識別媒体。
【請求項４】
前記ホログラム像が前記コード表示層に形成された前記コードとは別のコードを構成していることを特徴とする請求項１〜３のいずれか一項に記載の識別媒体。
【請求項５】
読み取りを行う側から、
ホログラム加工が施され、第１の旋回方向の円偏光を選択的に反射するコレステリック液晶層と、
読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、
読み取りの対象となるコードが形成され、通常は不可視であり、特定波長領域の光を照射した状態で見えるコード表示層と
を順に備え、
光学読み取り装置により前記コードと同時に読み取った際に、前記コードの情報の読み取りを阻害するホログラム像が前記ホログラム加工により形成されている識別媒体からのデータの読み取り方法であって、
光学読取装置により前記第１の旋回方向の円偏光を遮断する円偏光フィルタを介して前記コードの選択的な読み取りが行われ、
前記読み取りは、前記識別媒体への前記特定の波長領域の光を照射した状態で行われることを特徴とするデータの読み取り方法。
【請求項６】
光学読み取り装置により前記コレステリック液晶層の前記ホログラムと前記コードとの同時読み取りが行われ、
前記コードの選択的な読み取りおよび前記ホログラムと前記コードとの同時読み取りに基づき、前記識別媒体の真贋の判定が行われることを特徴とする請求項５に記載のデータの読み取り方法。
【請求項７】
請求項１〜４のいずれか一項に記載の識別媒体の真贋を判定する装置であって、
前記第１の旋回方向の円偏光を遮断する円偏光フィルタを介して前記コードを選択的に読み取る読み取り手段と、
前記識別媒体に特定の波長領域の光を照射する光照射手段を備えることを特徴とする識別装置。
【請求項８】
請求項１〜４のいずれか一項に記載の識別媒体を製造する方法であって、
前記コード表示層を印刷により形成する工程と、
前記コード表示層と前記コレステリック液晶層とを一体化する工程と
を備えることを特徴とする識別媒体の製造方法。
【発明の詳細な説明】
【技術分野】
【０００１】
本発明は、不可視情報を備えた識別媒体に関する。
【背景技術】
【０００２】
バーコードを不可視情報とした構成が知られている。例えば、特許文献１には、紫外線励起により可視光を発光する蛍光体による潜像のバーコードを形成する技術が記載され、特許文献２には、赤外線励起により赤外線を発光する蛍光体による潜像のバーコードを形成する技術が記載されている。
【先行技術文献】
【特許文献】
【０００３】
【特許文献１】特許第３５２６３７０号公報
【特許文献２】特許第３６５１９１３号公報
【発明の開示】
【発明が解決しようとする課題】
【０００４】
上述した従来の技術では、励起光を照射しない状態での目視による真贋判定が行えない。つまり、複数段階の判別が行えない。このため、偽造防止効果および真贋判定機能は限定的となる。このような背景において、本発明は、目視での真贋判定を含む多段階の識別を行うことができる識別媒体を提供することを目的とする。
【課題を解決するための手段】
【０００５】
請求項１に記載の発明は、読み取りを行う側から、ホログラム加工が施され、第１の旋回方向の円偏光を選択的に反射するコレステリック液晶層と、読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、読み取りの対象となるコードが形成され、通常は不可視であり、特定波長領域の光を照射した状態で見えるコード表示層とを順に備え、光学読み取り装置により前記コードと同時に読み取った際に、前記コードの情報の読み取りを阻害するホログラム像が前記ホログラム加工により形成されていることを特徴とする識別媒体である。
【０００６】
請求項１に記載の発明によれば、以下に述べる３段階の識別が可能となる。
【０００７】
（第１段階の識別）
第１段階の識別は、当該識別媒体を普通に直視することで行う識別である。この場合、コレステリック液晶層のホログラム像が視認される。コレステリック液晶層へのホログラム加工には、ノウハウが必要であり、ホログラム像の内容が分かっていても簡単には再現できない。また、コレステリック液晶層は、特定の中心波長を選択反射する光学特性を有しているので、感光材料を用いたホログラム干渉構造（ホログラムを構成するエンボス構造）のコンタクトコピーが簡単には行えず、ホログラム型を再現することが困難であるという偽造困難性も有している。これは、コレステリック液晶層から選択反射される反射光のスペクトルと同じ感光特性を有する感光材料を用いないと、コンタクトコピーではホログラム像の色合いや仔細な画像情報の再現性が得られないことに起因する。このため、コレステリック液晶層のホログラムは高い真贋識別性を有する。
【０００８】
（第２段階の識別）
例えば、コード表示層が紫外線蛍光インクにより形成されている場合を考える。また、コード表示層の下に通常印刷層があるとする。ここで、紫外線の照射は行わない（つまり蛍光はさせない）状態で、当該識別媒体を第１の旋回方向の円偏光を選択的に透過する第１の円偏光フィルタを介して観察すると、コレステリック液晶層からの反射光が優先的に観察される。なお、コード表示層は、蛍光していないので、当然観察できない。なお、この状態において、第１の円偏光フィルタを外すと、通常印刷層からの反射光も明瞭に観察可能となる。またこの状態において、第２の円偏光を選択的に透過する第２の円偏光フィルタ（第１の円偏光を遮断する円偏光フィルタ）を介して、当該識別媒体を観察すると、コレステリック液晶層からの反射光は遮断されてそのホログラム像は見えず、通常印刷層の表示が選択的に観察される。このように、円偏光フィルタの切り替えにより、観察される像が切り替わる機能により識別が行われる。なお、ここではコード表示層の下に通常印刷層がある場合を説明したが、識別媒体が貼り付けられた下地の表示をこの通常印刷層に置き換えても事情は同じである。
【０００９】
（第３段階の識別）
例えば、紫外線蛍光インクを用いてコード表示層を形成した場合において、当該識別媒体に紫外線を照射すると、コード表示層が蛍光し、観察可能（光学的な検出が可能）となる。この際、円偏光フィルタを利用しないで観察すると、コレステリック液晶層のホログラム像、通常印刷層、コード表示層が同時に見える。第１の円偏光フィルタを介して観察すると、コレステリック液晶層からの第１の円偏光のみが第１の円偏光フィルタを透過するので、コレステリック液晶層のホログラム像のみが選択的に見える。第２の円偏光フィルタを介して観察すると、コレステリック液晶層から反射される第１の円偏光が遮断されるので、コレステリック液晶層のホログラム像が消失し、通常印刷層およびコード表示層が見える。この像の切り替わりにより識別が行われる。
【００１０】
また、請求項１に記載の発明によれば、コードが見える環境（例えば、コードを紫外線蛍光インクで形成した場合において、紫外線を照射してコードを蛍光させた状態）において、円偏光フィルタを介さずに光学読み取り装置（例えば、バーコードリーダー）によって当該識別媒体からのデータの読み取りを行った場合に、光学読み取り装置は、コード層のコード画像（例えば、２次元バーコードの画像）とコレステリック液晶層のホログラム像とを同時に検出する。この際、ホログラム像によりコード画像の読み取りが阻害されるので、光学読み取り装置で直接光学的な読み取りを行っただけでは、データの読み取りはできない。
【００１１】
他方で、コレステリック液晶層が選択反射する旋回方向の円偏光を遮断する円偏光フィルタを介して、光学読み取り装置による読み取りを行う場合、コレステリック液晶層からの反射光が上記円偏光フィルタによって遮断されるので、光学読み取り装置はコレステリック液晶層のホログラム像を検出しない。このため、コードが見える環境におけるコード表示層のコードの情報を検出するＳ／Ｎが高くなり、当該コードの検出をおよび当該コードのデコードが可能となる。つまり、コードの選択的な読み取りが可能となる。
【００１２】
コレステリック液晶層の反射光は、左右どちらかの旋回方向の円偏光であり、円偏光フィルタによりその反射光を遮断した場合の遮断性（透過されない特性）が極めて高い。また、円偏光であるので、円偏光フィルタを回転させてもこの逆旋回方向の円偏光を遮断する特性は変化しない。このため、円偏光フィルタを用いない場合におけるコレステリック液晶層のホログラム像によるコード表示層のコードの読み取りを阻害する機能と、コレステリック液晶層からの反射光を円偏光フィルタで遮断することによる上記コード表示層のコード情報を光学的に検出する際の検出Ｓ／Ｎの確保とを両立できる。
【００１３】
本発明によれば、見た目では、ホログラム像に邪魔されてコードが明瞭に見えない状態であるが、使用しているコレステリック液晶が選択反射する円偏光と逆旋回方向の円偏光を選択的に透過する円偏光フィルタを介してコードの光学的な検出を行うと、ホログラム像の影響が排除されて、コードを読み取ることができる識別媒体が提供される。
【００１４】
また、コードを偽装してもコレステリック液晶層のホログラムを偽造するのが困難であるので、コードが同じでも見た目で同じものを製造（偽造）することが困難となる。また、例えばコレステリック液晶のホログラムではなく、通常のホログラムをコードに重ねたものを偽造し、見た目を精巧に似せた偽造品を製造しても、円偏光フィルタを介した観察で、同様の視覚効果が得られないので、偽造を見破ることが容易となる。
【００１５】
なお、光学読み取り装置の読み取り形式は、光学的にコードを読み取る形式であれば限定されず、例えば、ＣＣＤ等の撮像装置により画像を取得する形式、光学受光センサによる直接反射光や散乱反射光の検出による形式、受光センサアレイによる反射光のパターンを検出する形式等が挙げられる。
【００１６】
また、請求項１に記載の発明によれば、コード表示層からの反射光が光学機能層を透過した後にコレステリック液晶層の非観察面側（光学的な読み取りを行う側と反対の面側）から入射する。この入射光は、光学機能層の機能によりコレステリック液晶層が選択反射する円偏光の旋回方向（第１の旋回方向）と逆の第２の旋回方向の円偏光となる。
【００１７】
よって、第１の旋回方向の円偏光を選択的に透過する円偏光フィルタを介して当該識別媒体を観察した場合に、この円偏光フィルタによって第２の旋回方向の円偏光が遮断されるので、コードが見えず、コレステリック液晶層からのホログラム像が鮮明に視認される。よって、ホログラム像を用いた肉眼での識別性が高くなる。これは光学読み取り装置を用いた場合も同じであり、ホログラム像の検出による識別性が高くなる。
【００１８】
仮に、請求項１の光学機能層がない場合、第１の旋回方向を選択的に透過する円偏光フィルタを介した観察において、コード表示層から反射されるランダム光成分の内の第１の旋回方向の円偏光成分がコレステリック液晶層からの反射光に混じって、円偏光フィルタを透過する。このため、ホログラム像だけを鮮明に視認することはできず、コードも同時に視認される。これは、光学読み取り装置を用いた読み取りにおいても同じである。よって、コレステリック液晶層のホログラム像単独の視認性や画像読み取り装置による読み取り精度が低下する。
【００１９】
請求項２に記載の発明は、請求項１に記載の発明において、前記コードが、バーコード、２次元コード、ＯＣＲコード、ホログラムコード、カラーコードから選ばれた一または複数により構成されることを特徴とする。コードは、各種の方式や規格のものが知られているが（あるいは提案されているが）、本発明では、それらの何れでも利用することができる。ここで、ＯＣＲコードは、文字で表示されたコードであり、また、カラーコードは複数の色彩の組み合わせで構成したコードである。これらのコードは、複数種類を組み合わせて利用することもできる。コードの読み取りは、反射光の明暗を０、１（Ｈｉ状態、Ｌｏ状態）に対応させてデジタル信号として検出する方法、携帯電話のカメラ機能を用いた２次元バーコードの読み取りのように撮像装置を用いてコードの模様を画像として取り込み、それに基づき画像処理によりコードをデコードする方法が挙げられる。 
【００２０】
請求項３に記載の発明は、請求項２に記載の発明において、前記コードが肉眼では認識し難い大きさを有することを特徴とする。請求項３に記載の発明では、バーコード、２次元コード、ＯＣＲコード、ホログラムコード、カラーコード等のコードを肉眼では認識し難い大きさとし、拡大光学系を介して拡大することで読み取ることが可能な形態としている。こうすることで、直視した場合にコレステリック液晶層のホログラム像の見え方が支配的となり、肉眼でコードが視認し難い識別媒体が提供される。
【００２１】
請求項４に記載の発明は、請求項１〜３のいずれか一項に記載の発明において、前記ホログラム像が前記コード表示層に形成された前記コードとは別のコードを構成していることを特徴とする。請求項４に記載の発明によれば、コード表示層に形成されたコードに加えて、コレステリック液晶層のホログラム像を利用してのコード（ホログラムコード）も用いられるので、それらの組み合わせにより扱うデータ量を多くできる。また、一方のデータのみの読み取り、両方のデータの読み取りの組み合わせによって、より高い識別性を得ることができる。
【００２２】
また、請求項１に記載の発明を採用した場合、右円偏光フィルタと左円偏光フィルタを切り替えて用いることで、コード表示層からの反射光とコレステリック液晶層からの反射光とを明確に分離して検出することができる。このため、第１の円偏光フィルタを利用することで、コレステリック液晶層からの反射光を選択的に検出し、それによりホログラムコードを選択的に読み取ることができる。また、第２の円偏光フィルタを利用することで、コード表示層からの反射光を選択的に検出し、それによりコード表示層のコード情報を選択的に読み取りことができる。
【００２３】
請求項５に記載の発明は、読み取りを行う側から、ホログラム加工が施され、第１の旋回方向の円偏光を選択的に反射するコレステリック液晶層と、読み取りを行う側から見て、λ／４板と直線偏光フィルタ層とが積層された構造を有し、前記コレステリック液晶層の側の面と反対の面から自然光を入射させた場合に、前記第１の旋回方向とは逆の第２の旋回方向の円偏光を前記コレステリック液晶層に向かって選択的に透過する機能を有する光学機能層と、読み取りの対象となるコードが形成され、通常は不可視であり、特定波長領域の光を照射した状態で見えるコード表示層とを順に備え、光学読み取り装置により前記コードと同時に読み取った際に、前記コードの情報の読み取りを阻害するホログラム像が前記ホログラム加工により形成されている識別媒体からのデータの読み取り方法であって、光学読取装置により前記第１の旋回方向の円偏光を遮断する円偏光フィルタを介して前記コードの選択的な読み取りが行われ、前記読み取りは、前記識別媒体への前記特定の波長領域の光を照射した状態で行われることを特徴とするデータの読み取り方法である。
【００２４】
請求項５に記載の発明によれば、コードが可視の状態において、第１の旋回方向の円偏光を遮断する円偏光フィルタを介さない場合は、コードが読み取れず、第１の旋回方向の円偏光を遮断する円偏光フィルタを介した場合に、コードが読み取れるデータの読み取り方法が提供される。すなわち、円偏光フィルタを用いないとコレステリック液晶層のホログラム像とコードが同時に見えるので、コードの読み取りが阻害される。また、第１の旋回方向の円偏光を透過する円偏光フィルタを介して当該識別媒体を観察した場合はコレステリック液晶層からの反射光しか見えないので、やはりコードの読み取りが行えない。このように、特定の旋回方向を透過する円偏光フィルタを用いないとコードの読み取りが行えない技術が提供される。なお、コードを可視とする状態は、複数を組み合わせて実行することも可能である。
【００２５】
請求項６に記載の発明は、請求項５に記載の発明において、光学読み取り装置により前記コレステリック液晶層の前記ホログラムと前記コードとの同時読み取りが行われ、前記コードの選択的な読み取りおよび前記ホログラムと前記コードとの同時読み取りに基づき、前記識別媒体の真贋の判定が行われることを特徴とする。
【００２６】
請求項７に記載の発明は、請求項１〜４のいずれか一項に記載の識別媒体の真贋を判定する装置であって、前記第１の旋回方向の円偏光を遮断する円偏光フィルタを介して前記コードを選択的に読み取る読み取り手段と、前記識別媒体に特定の波長領域の光を照射する光照射手段、前記識別媒体に温度変化を与える温度変化手段、拡大レンズを介して前記識別媒体を観察可能とする手段、前記識別媒体に磁場を印加する磁場印加手段、前記識別媒体に力を加える手段の少なくとも一つを備えることを特徴とする識別装置である。
【００２７】
請求項８に記載の発明は、請求項１〜４のいずれか一項に記載の識別媒体を製造する方法であって、前記コード表示層を印刷により形成する工程と、前記コード表示層と前記コレステリック液晶層とを一体化する工程とを備えることを特徴とする識別媒体の製造方法である。
【発明の効果】
【００２８】
本発明によれば、目視での真贋判定を含む多段階の識別を行うことができる識別媒体が提供される。
【図面の簡単な説明】
【００２９】
【図１】実施形態の断面構造を示す概念図である。
【図２】実施形態の光学原理を示す原理図である。
【図３】実施形態の見え方の違いを示す概念図である。
【図４】実施形態の識別を行うシステムの一例である。
【図５】光学読み取り装置の概念図である。
【図６】光学読み取り装置のブロック図である。
【図７】光学読み取り装置の動作の手順を示すフローチャートである。
【図８】実施形態の断面構造を示す概念図である。
【図９】実施形態の見え方の違いを示す概念図である。
【図１０】実施形態の断面構造を示す概念図である。
【図１１】実施形態の見え方の違いを示す概念図である。
【図１２】実施形態の断面構造を示す概念図である。
【図１３】実施形態の光学原理を示す原理図である。
【図１４】実施形態の見え方の違いを示す概念図である。
【発明を実施するための形態】
【００３０】
（１）第１の実施形態
図１には、実施形態の識別媒体１００が示されている。識別媒体１００は、観察が行われる側（識別面側）から、透明保護層１０１、コレステリック液晶層１０２、λ／４板１０４、直線偏光フィルタ層１０５、コード表示層１０７、通常印刷層１０８、基材フィルム層１０９、粘着層１１０と積層された構造を有している。
【００３１】
透明保護層１０１は、最表面を保護する透明な樹脂フィルムの層である。透明保護層１０１は、ＴＡＣ（トリアセチルセルロース）等の透過する光の偏光特性を乱さない材質が選択されている。コレステリック液晶層１０２は、赤の右円偏光を選択的に反射する光学特性とされている。コレステリック液晶層１０２には、エンボス型を押し付けることで行われたホログラム加工１０３が施されている。ホログラム加工１０３により、コレステリック液晶層１０２に凹凸構造が付与され、この凹凸構造において生じる光学干渉によりホログラム像が生成される。このホログラム像は、コレステリック液晶層１０２からの反射光を観察することで視認することができる。
【００３２】
λ／４板１０４と直線偏光フィルタ層１０５は、２層で左円偏光フィルタ層１０６を構成している。左円偏光フィルタ層１０６は、非観察面側であるコード表示層１０７の側から自然光を入射させた場合に、観察面側（図の上側）に左円偏光を選択的に透過する光学機能となるように、λ／４板１０４と直線偏光フィルタ層１０５の向きが調整されている。
【００３３】
コード表示層１０７は、紫外線の照射で可視領域の蛍光を生じる紫外線蛍光インクの印刷により形成された２次元バーコードが形成された層である。通常印刷層１０８は、普通のインクを用いた図柄の印刷の層である。この例では、基材フィルム層１０９上に通常印刷層１０８、コード表示層１０７の順で印刷が行われている。なお、図では、通常印刷層１０８の上にコード表示層１０７があるように記載されているが、これは印刷の順序を示すものであり、両者が重なっていない部分では、通常印刷層１０８とコード表示層１０７とは、同じ面内に位置することになる。
【００３４】
基材フィルム層１０９は、コード表示層１０７と通常印刷層１０８の内容（画像）を際立たせる背景色を有した樹脂フィルムの層である。粘着層１１０は、粘着材の層である。粘着層１１０の機能により、識別媒体１００が対象物に貼り付けられる。なお、粘着層１１０の露出面には図示省略したセパレータ（離型紙）が貼り付けられ、このセパレータを剥がし、粘着層１１０を露出させた状態で対象物への識別媒体１００の貼り付けが行われる。
【００３５】
二次元バーコードは、コード表示の一例であり、ドットや文字でコードを示すものや模様でコードを示すもの等、機械認識で読み取れる形態であれば、形式は限定されない。なお、基材フィルム１０９を用いないで、円偏光フィルタ１０６の直線偏光フィルタ１０５側にコード表示層１０７、通常印刷層１０８を印刷により形成してもよい。
【００３６】
（光学機能）
図２には、識別媒体１００の光学機能の原理が概念的に示されている。以下、自然光がコレステリック液晶層１０２の側（図の上側）から照射されている環境下における識別媒体１００の光学機能について説明する。なお、図２では、透明保護層１０１の記載は省略されている。
【００３７】
まず、基本的な光学特性を説明する。識別媒体１００に照射された自然光の内、コレステリック液晶層１０２から赤の右円偏光が反射される。このコレステリック液晶層１０２からの反射光は、ホログラム加工１０３に起因するホログラム像を含んだ反射光となる。
【００３８】
また、コレステリック液晶層１０２が反射しない左円偏光、直線偏光、赤以外の右円偏光がコレステリック液晶層１０２を透過し、円偏光フィルタ層１０６に入射する。この入射光は、円偏光フィルタ層１０６の直線偏光フィルタ層１０５のコード表示層１０７側に出た段階で直線偏光となり、コード表示層１０７および通常印刷層１０８に入射し、そこで反射される。この反射光には、コード表示層１０７の画像情報（二次元バーコードの画像）と通常印刷層１０８の画像情報が含まれる。
【００３９】
コード表示層１０７および通常印刷層１０８からの反射光は、左円偏光フィルタ層１０６を図の下か上の方向に透過する段階で左円偏光（左旋回円偏光）となる。すなわち、円偏光フィルタ層１０６は、直線偏光フィルタ層１０５側から自然光を入射させた場合に、λ／４板１０４側から左円偏光が出射する特性とされている。よって、コード表示層１０７および通常印刷層１０８からの反射光は、左円偏光として、円偏光フィルタ層１０６を図の上方向に透過する。この透過光は、左円偏光であるので、コレステリック液晶層１０２を透過し、観察面側に出射する。
【００４０】
（左円偏光フィルタを介した観察）
まず、紫外線を照射していない状態において、識別媒体１００を左円偏光フィルタ（左旋回円偏光を選択的に透過する円偏光フィルタ）１２０を介して観察する場合を説明する。この場合、コレステリック液晶層１０２から反射される右円偏光は、左円偏光１２０フィルタで遮断されるので、コレステリック液晶層１０２の観察面側に出射する段階で左円偏光となるコード表示層１０７および通常図柄層１０８からの反射光が選択的に観察される。
【００４１】
この状態における観察内容を図３（Ａ）に示す。図３（Ａ）には、通常印刷層１０８の表示（画像）１０８’が見えている状態が示されている。この状態では、紫外線が照射されていないので、コード表示層１０７のコード表示は蛍光しておらず、視認できない（検出できない）。よって、紫外線を照射しない状態における左円偏光フィルタを介した観察では、図３（Ａ）に示すように通常印刷層１０８の通常印刷表示１０８’のみが見える。
【００４２】
次に識別媒体１００の紫外線を照射すると、コード表示層１０７が蛍光し、通常印刷層１０８の表示に加えてコード表示層１０７の表示が見える。この状態が図３（Ｂ）に示されている。図３（Ｂ）には、通常印刷表示１０８’に加えて、コード表示１０７’の二次元バーコード模様が見える様子が示されている。
【００４３】
（右円偏光フィルタを介した観察）
紫外線を照射していない状態において、識別媒体１００を右円偏光フィルタ（右旋回円偏光を選択的に透過する円偏光フィルタ）１２１を介して観察した場合、コレステリック液晶層１０２から反射される右円偏光は、右円偏光フィルタ１２１を透過するので、被観察光１２３には、ホログラム加工１０３に基づくホログラム像が含まれる。他方で、コレステリック液晶層１０２を観察面側に出射する段階で左円偏光となるコード表示層１０７および通常印刷層１０８からの反射光は、右円偏光フィルタ１２１で遮断される。このため、コード表示層１０７および通常印刷層１０８からの反射光は、被観察光１２３には含まれない。
【００４４】
この状態における観察内容を図３（Ｃ）に示す。図３（Ｃ）には、ホログラム加工１０３に基づくホログラム像１０３’が見えている状態が示されている。なお、識別媒体１００に紫外線を照射しても、図３（Ｃ）の観察状態に変化はない。これは、右円偏光フィルタ１２１を介した観察では、コード表示層１０７からの反射光（左円偏光）が観察できないからである。
【００４５】
（円偏光フィルタを利用しない場合（直視の場合））
紫外線を照射しない状態において、円偏光フィルタを利用せず、識別媒体１００を直視した場合について説明する。この場合、コード表示層１０７のコード表示（２次元バーコード表示）は蛍光せず視認できない。このため、コレステリック液晶層１０２から反射される右円偏光と、コレステリック液晶層１０２の観察面側に出射する段階で左円偏光となる通常図柄層１０８からの反射光が同時に観察される。よって、コレステリック液晶層１０２のホログラム像および通常印刷層１０８の図柄が同時に見える。この様子を図３（Ｄ）に示す。図３（Ｄ）には、コレステリック液晶層１０２のホログラム像１０３’および通常図柄層１０８の通常印刷表示１０８’が同時に見えている状態が示されている。
【００４６】
次に、紫外線を照射している状態において、円偏光フィルタを利用せず、識別媒体１００を直視した場合について説明する。この場合、コード表示層１０７のコード表示（２次元バーコード表示）が蛍光し、視認可能となる。このため、コレステリック液晶層１０２から反射される右円偏光と、コレステリック液晶層１０２の観察面側に出射する段階で左円偏光となるコード表示層１０７および通常図柄層１０８からの反射光が同時に観察される。よって、コレステリック液晶層１０２のホログラム像、コード表示層１０７の二次元バーコード、および通常図柄層１０８の図柄が同時に見える。この様子を図３（Ｅ）に示す。図３（Ｅ）には、コレステリック液晶層１０２のホログラム像１０３’、コード表示層１０７の二次元バーコードのコード表示１０７’、および通常図柄層１０８の通常印刷表示１０８’が同時に見えている状態が示されている。
【００４７】
以下、図３を参照して３段階の識別機能について説明する。
（第１段階の識別）
まず、図３（Ｃ）〜（Ｅ）に示すホログラム像１０３’のよる見た目での識別が行われる。前述したようにコレステリック液晶層に形成したホログラムの偽造は困難であるので、ホログラム像１０３’と見た目が同じものを再現することは難しい。このことを利用して見た目による真贋判定が可能となる。例えば、偽造品では、ホログラム像１０３’の見た目に違和感があり、それにより真贋判定が可能となる。
【００４８】
（第２段階の識別）
紫外線を照射しない状態において、左右の円偏光フィルタの切り替えての観察を行うと、図３（Ａ）⇔図３（Ｃ）の切り替わりが観察される。また、円偏光フィルタを外すと、図３（Ａ）や図３（Ｃ）の状態の見た目が、図３（Ｄ）の状態に切り替わる。この切り替わりにより、真贋判定が行われる。例えば、偽造品では、これらの画像の切り替わりが明確でないので、偽造品を識別することができる。
【００４９】
（第３段階の識別）
紫外線を照射した状態において、左右の円偏光フィルタの切り替えての観察を行うと、図３（Ｂ）⇔図３（Ｃ）の切り替わりが観察される。また、円偏光フィルタを外すと、図３（Ｂ）や図３（Ｃ）の状態の見た目が、図３（Ｅ）の状態に切り替わる。この切り替わりにより、真贋判定が行われる。例えば、偽造品では、これらの画像の切り替わりが明確でないので、偽造品を識別することができる。また、図３（Ｅ）の状態では、ホログラム像１０３’が邪魔になり、コード表示１０７’が正確に読み取れない。図３（Ｅ）には、ホログラム像１０３’により、コード表示１０７’が正確に読み取れない状態が誇張して示されている。
【００５０】
（利用例）
以下、識別媒体１００の利用例の一例を説明する。ここでは、識別媒体１００を商品に付けられた２次元バーコードに適用した場合の例を説明する。図４には、識別媒体１００を利用した識別を行うシステムの一例が示されている。図４（Ａ）には、全体の概要が示され、図４（Ｂ）には、カメラ付携帯電話で識別媒体１００を撮像する様子が示されている。
【００５１】
図４には、データサーバ２０１、インターネット回線２０２、携帯基地局２０３、携帯基地局のアンテナ２０４、携帯電話２０５、製品２０６、識別媒体１００、カメラ２０８、左円偏光フィルタ２０９が示されている。データサーバ２０１は、識別媒体１００の２次元バーコード情報のデコードされた情報を照合する。インターネット回線２０２は、携帯基地局２０３と接続され、携帯基地局２０３は、アンテナ２０４を介して携帯電話２０５と通信を行う。携帯電話２０５は、カメラ２０８を備え、カメラ２０８で撮像した二次元バーコード情報をデコードし、携帯基地局２０３を介してインターネット２０２経由でデータサーバ２０１に送信する。製品２０６は、電子部品や機械部品等の各種の部品、食料品、日用品、衣料品、コンピュータのアプリケーションソフトウェア等の製品や製品パッケージである。製品２０６には、真贋判定機能および決められた内容（例えば、製造者を特定する情報や物流過程の履歴情報等）をコード化して印刷した識別媒体１００が貼り付けられている。
【００５２】
図４に示す例において、ユーザは、携帯電話２０５のカメラ２０８を利用し、左円偏光フィルタ２０９を介して識別媒体１００を撮像する。この際、紫外光ライト２０７により紫外光を識別媒体１００に照射した状態で、識別媒体１００の撮像を行う。カメラ２０８が取得したデータは、携帯基地局２０３、インターネット回線２０２を介して、データサーバ２０１に送られる。データサーバ２０１は、受け取ったデータに基づいて、識別媒体１００のコードを自身が記憶している比較対象となるデータと照合する。そしてデータサーバ２０１は、取得したコードの内容に基づいて、特定の情報（例えば、製品２０６に関する製造者を特定する情報）を携帯電話２０５に送る。このようにして、識別媒体１００を撮像し、その画像データをデコードし、データサーバ２０１に送ることで問い合わせが行われ、その問い合わせの結果（回答）が、データサーバ２０１から携帯電話２０５に送られ、携帯電話２０５に表示される。
【００５３】
なお、円偏光フィルタを介さず直接識別媒体１００を撮像した場合、コレステリック液晶層のホログラム像も同時に撮像される。よって、その画像データはコレステリック液晶のホログラム像が障害になって二次元バーコード(コード表示層１０７)のデコードは行えない。また、紫外光を照射しない場合も、コードの表示が蛍光しないので、コードの読み取りは行えない。また、紫外線を照射しない状態での撮像では、コードの表示が蛍光しないので、読み取れない。
【００５４】
（読み取り装置）
図５には、図１の識別媒体１００の読み取りを行う読み取り装置３００が示されている。読み取り装置３００は、ＣＣＤ等の撮像装置３０１、制御部３０２、通常ライト３０３、円偏光フィルタ３０４、拡大レンズ３２０、ステージ３０５、紫外線ライト３２１を備えている。撮像装置３０１は、識別媒体１００の撮像を行う。制御部３０２は、装置全体の動作制御、撮像装置３０１が撮像した画像に基づくコードの解読および真贋判定を行う。通常ライト３０３は、識別媒体１００に白色自然光を照射する。円偏光フィルタ３０４は、識別媒体１００のコレステリック液晶層１０２が選択反射する円偏光（この場合は、右円偏光）を遮断する光学フィルタ（この場合は、左円偏光フィルタ）である。円偏光フィルタ３０４は、光軸上（撮像装置３０１の前）からの退避が自在にできるように図示省略した移動手段により、移動が可能とされている。拡大レンズ３２０は、例えばマイクロＯＣＲコード等の肉眼では小さくて視認し難いコードを用いた場合に利用される拡大光学系である。拡大レンズ３２０も光軸から退避可能とされている。ステージ３０５は、識別媒体１００が貼り付けられた対象物（例えば、電子部品や各種商品等）３０６が置かれるステージである。紫外線ライト３２１は、識別媒体１００に紫外光を照射し、識別媒体１００のコードを蛍光させ、可視化する。
【００５５】
図６は、制御３０２の構成を示すブロック図である。制御部３０２には、後述するフローチャートの手順を実行するコンピュータとして機能する。制御部は、ＣＰＵ、メモリ、インターフェースを備え、ソフトウェアー的に構成された以下の機能部を有している。制御部３０２は、画像抽出部３０６、デコード部３０７、デコード内容出力部３０８、画像判定部３０９、デコード可否判定部３１０、真贋判定部３１１、報知部３１２、駆動部３１３を備えている。
【００５６】
画像抽出部３０６は、画像データから画像の内容を抽出する。デコード部３０７は、抽出された画像を解析し、コード（２次元バーコードデータ）を解析しデコードする。デコード内容出力部３０８は、デコードされた２次元バーコードの情報を出力する。ここで、２次元バーコードの情報としては、対象物３０６の固有情報（例えば、製造番号や各種履歴情報）が挙げられる。画像判定部３０９は、抽出された画像が予め記憶されている画像（リファレンス画像）と整合するか否か、を判定する。デコード可否判定部３１０は、デコード部３０７におけるコードデータのデコードが正常に行われたか否か、を判定する。真贋判定部３１１は、画像判定部３０９およびデコード可否判定部３１０の判定の結果に基づき、識別媒体１００の真贋を判定する。報知部３１２は、各種判定の結果を報知する報知信号を出力する。駆動部３１３は、通常ライト３０３および紫外線ライト３２１の点灯制御、円偏光フィルタ３０４および拡大レンズ３２０の移動制御を行うための駆動信号を出力する。
【００５７】
（読み取り装置の動作）
図７は、読み取り装置３００の動作の一例を示すフローチャートである。図７の処理の手順を実行するプログラムは、制御部３０２内の適当なメモリ領域に記憶され、制御部３０２によって実行される。このプログラムは、適当な記憶媒体に記憶され、そこから提供される形態であってもよい。
【００５８】
図５のステージ３０５上に、識別媒体１００が貼り付けられた対象物３０６が置かれた状態で処理が開始される。処理が開始されると（ステップＳ５０１）、通常ライト３０３および紫外線ライト３２１の発光を開始し（ステップＳ５０２）、円偏光フィルタ（左円偏光フィルタ）３０４を撮像装置３０１と識別媒体１００との間から退避させる（ステップＳ５０３）。
【００５９】
次に、撮像装置３０１により識別媒体１００を図１の観察面側（透明保護層１０１の側）から撮像し、識別媒体１００を撮像した画像データを取得する（ステップＳ５０４）。識別媒体１００の画像データを取得したら、２次元バーコード情報のデコードが不可で、且つ、得られた画像が予め用意しておいたリファレンス画像と整合（合致）するか否かが判定される（ステップＳ５０５）。この判定要件が満たされない場合、コレステリック液晶層１０２のホログラム画像による２次元バーコードの読み取りを阻害する作用が正常に機能しておらず、またこのホログラム画像が偽物の可能性が高いと判定され、真正でない疑がある旨（贋物の疑いあり）の報知情報を出力する処理を行う（ステップＳ５０６）。
【００６０】
ステップＳ５０５において、２次元バーコード情報のデコードが不可で、且つ、得られた画像が予め用意しておいたリファレンス画像と整合する場合、円偏光フィルタ３０４を撮像装置３０１と識別媒体１００との間に挿入し（ステップＳ５０７）、再度識別媒体１００の撮像を行いその画像データを得る（ステップＳ５０８）。次に、この再度取得した画像データに対してデコード処理を行い、正常なデコードが行えた否か、を判定する（ステップＳ５０９）。ここで、正常なデコードが行えなければ、エラー処理を行い（ステップＳ５１０）、正常なデコードができた場合、デコードした内容（識別媒体１００の２次元バーコード情報）を出力する（ステップＳ５１１）。その後、通常ライト３０３および紫外線ライト３２１の発光を停止し（ステップＳ５１２）、処理を終了する（ステップＳ５１３）。なお、２次元バーコードの画像データを取得する際には、より読み取り精度を高めるために、通常ライト３０３の発光を先に停止させ、紫外線ライト３２１のみ発光させても良い。
【００６１】
（真贋判定機能）
まず、図２に関連して説明したように、識別媒体１００は、直視した場合に２次元バーコードの模様とホログラム像が同時に見える。そして、左円偏光フィルタを介して見ると２次元バーコードのみが見え、右円偏光フィルタを介して見るとホログラム像のみが見える。この見える像の切り替わりで真贋の判定が可能となる。２次元バーコードのみであると、偽造された場合にその真贋の判定が困難となるが、識別媒体１００では、上記の目視による観察で、真贋の判定が行える。
【００６２】
また、図５、図６に関連して説明したように、機械による電子的な読み取りにおいても真贋の判定が可能となる。すなわち、見た目を似せて作った贋物の識別媒体１００は、コレステリック液晶層１０２へのホログラム加工１０３が上手く再現できないので、ステップＳ５０５の判定がＮＯとなる。また、仮にステップＳ５０５の判定をクリアしたとしても、ステップＳ５０９の判定において、ホログラム像が画像データ中に残っていると２次元バーコードのデコードが不可となり、エラーとなるので、偽造品の２次元バーコード情報が正常な情報として読み取られる不都合が回避される。
【００６３】
このように識別媒体１００は、目視での観察による真贋判定、および電子的な読み取りによる真贋判定を行うことで、２次元バーコード情報の偽造を見破ることが容易となる。
【００６４】
（その他）
コレステリック液晶層１０２が選択反射する中心波長（色）は、赤に限定されず、緑等の他の色であってもよい。また、コレステリック液晶層１０２が選択反射する円偏光の旋回方向は、右旋回方向に限定されず、左旋回方向であってもよい。例えば、コレステリック液晶層１０２が選択反射する円偏光の旋回方向を左旋回方向とした場合、符号１０６の部分は、右円偏光フィルタ層となる。
【００６５】
基材フィルム層１０８と粘着層１０９を透明にし、貼り付けた面が透けて見える構成も可能である。この場合、透けて見える添付対象物の図柄が通常印刷層１０８の図柄と同様の機能を発揮する。また、粘着層１０９を暗色の色として、粘着層を光吸収層として機能させてもよい。この場合、紫外光を当てた環境下で直視した場合に、ホログラム像が強調され、２次元バーコードが見え難くなる。また、２次元バーコードの図柄は、予め印刷された薄いフィルムを張り合わせても形成してもよい。
【００６６】
（変形例１）
図１に示す構成において、円偏光フィルタ層１０６を省いた構成も可能である。この場合、紫外光を当てた環境化における右円偏光フィルタを介した観察において、ホログラム像に加えて、コード表示層も薄く見える。左円偏光フィルタを介した観察の場合は、図１の識別媒体の場合と同じである。変形例１の場合、円偏光フィルタを切り替えての観察において、２次元バーコードの図柄とホログラム像との明確な切り替わりが図１の識別媒体１００に比較して相対的に不明瞭となるが、図７の処理による真贋判定および２次元バーコード情報の読み取り処理は可能である。
【００６７】
（変形例２）
コード表示層１０７として、２次元バーコードの図柄の代わりに肉眼では識別できない大きさのマイクロ文字を利用したＯＣＲコード（以下、マイクロＯＣＲコード）を用いる。マイクロコードＯＣＲコードは、特定のデータを文字により記号化（暗号化）したもので、肉眼では読み取り難い大きさを有し、レンズを介して読み取る。この場合の識別媒体の使用方法や特徴は、図５の装置を用いた形態において、拡大レンズ３２０が利用される点、コードの方式が変わる点を除いて２次元バーコードの場合と同じである。なお、図４の形態にマイクロＯＣＲコードを適用した場合、円偏光フィルタ２０９に加えて、拡大レンズを介して、カメラ２０８による撮像を行えばよい。
【００６８】
マイクロＯＣＲコードを用いた場合、目視でコードが読み取り難いので、コレステリック液晶層のホログラム像が強調されて見え、ホログラム像を用いた目視での識別性が高くなる。また、マイクロＯＣＲコードは文字が小さいので、円偏光フィルタを介さずにマイクロＯＣＲコードを画像認識により読み取ろうとした場合に、ホログラム像による幻惑作用がより大きく、ホログラム像がより明瞭な画像となる点と相まって、図７のステップＳ５０５の判定による真贋判定をより効果的に行うことができる。なお、バーコードの表示を小さくし、光学系で拡大することで読み取る形態も可能である。
【００６９】
（変形例３）
２次元バーコードの変わりにＩＤ番号を用いることもできる。この場合、ＩＤ番号が画像認識され、ＩＤ番号に対応した固有情報（例えば、製造番号や、認識番号、固有の名称等）がデコードされる。
【００７０】
この構成では、円偏光フィルタ３０４を退避させた状態で画像認識を行うと、コレステリック液晶層１０２のホログラム像に幻惑されて、ＩＤ番号が読み取れず、左円偏光フィルタを光路に挿入した状態で画像認識を行うと、ホログラム像が消えて、ＩＤ番号の読み取りが可能となる。
【００７１】
この場合もＩＤ番号を何らかの方法で入手され、識別媒体が偽造されたとしても、偽造の困難なコレステリック液晶のホログラム像を用いた円偏光フィルタ不使用時のＩＤ番号の読み取りを困難にする光学機能、また逆に円偏光フィルタ使用時のＩＤ番号をホログラム像の影響（幻惑）を受けずに精度よく読み取れる機能、および再現の困難なホログラム画像の画像内容によって高い偽造判定機能を得ることができる。
【００７２】
（変形例４）
ホログラム加工１０３によって形成されるホログラム像としてホログラムコードを含むものを採用してもよい。この場合、右円偏光フィルタを介した撮像によって、ホログラム加工１０３によるホログラムコードの読み取りが行われる。そして、左円偏光フィルタを介した撮像によって、コード表示層１０７のコードの読み取りが行われる。つまり、円偏光フィルタの切り替えにより、２つのコードの選択的な読み取りが可能となる。
【００７３】
この場合、図５に示す装置は、右円偏光フィルタと左円偏光フィルタを備え、右円偏光フィルタの光路への挿入および退避、左円偏光フィルタの光路への挿入および退避が可能とされる。すなわち、右円偏光フィルタを光路に挿入した場合、右円偏光フィルタを介した識別媒体１００の撮像となり、ホログラム加工１０３によって形成されるホログラム像に含まれるホログラムコードの読み出しが行われる。また、左円偏光フィルタを光路に挿入した場合、左円偏光フィルタを介した識別媒体１００の撮像となり、コード表示層１０７のコードの読み取りが行われる。
【００７４】
またこの場合、円偏光フィルタと読み取ったコードの内容との組み合わせに基づいた真贋の判定も可能となる。つまり、右円偏光フィルタ採用時のデコード内容と右円偏光フィルタ採用時のデコード内容が、予め定めた内容と一致するか否かを判定することで、識別媒体の真贋の判定が可能となる。
【００７５】
この方法は、図４のシステムで実現することもできる。この場合、携帯電話２０５のカメラ２０８の前に配置する円偏光フィルタとして、左右の円偏光フィルタを用意し、また上記の方法を実行するプログラムを用意し、それをデータサーバ２０１において実行する。
【００７６】
（変形例５）
コード表示層１０７の二次元バーコードを構成する蛍光インクとして、蛍光時に赤外光を発光するタイプのものを採用することもできる。この場合、可視光領域から外れた波長での発光を行うタイプのものを選択することで、コードを蛍光により発光させても目視では、コードを視認できない構成とできる。この赤外領域の蛍光を示す蛍光インクを用いてコードを構成した場合、コードの読み取りは、当該赤外領域の光を検出できる撮像装置や受光センサを用いて行われる。蛍光時の発光波長は、デコードが可能なレベルで検出できる波長であれば、特に限定されない。
【００７７】
（製造方法)
図１の識別媒体１００の製造方法の一例を説明する。まず、コレステリック液晶層１０２を図示しない形成用基板上に形成する。形成用基板上でコレステリック液晶層１０２を形成したら、ホログラム型を押し付け、ホログラム加工１０３を施す。次いで、この形成用基板からコレステリック液晶層１０２を剥がし、予め接着剤により一体化しておいた円偏光フィルタ層１０６にコレステリック液晶層１０２を熱プレスまたは接着により固定する。また、コレステリック液晶層１０２の露出した面（観察面）側に透明保護層１０１を接着する。
【００７８】
他方で、裏面側に粘着層１０９を取り付けた基材フィルム層１０８上に、コード表示層１０７を、紫外線蛍光インクを用いて印刷したものを用意する。そして、コード印刷層１０７と直線偏光フィルタ層１０５が密着するように両者を熱プレスまたは接着により固定することで、図１に示す識別媒体１００を得る。
【００７９】
この方法によれば、透明保護層１０１、ホログラムが形成されたコレステリック液晶層１０２、円偏光フィルタ層１０６と積層された第１の部材と、粘着層１０９、基材フィルム層１０８と積層された第２の部材とを用意しておき、コード表示層１０７の形成後に、第１の部材と第２の部材とを貼りあわせて識別媒体１００を得、更にこの識別媒体１００を対象物に貼り付ける作業が可能となる。このため、部品の製造ラインや物流ライン等において、オンデマンドでコードを印刷により形成し、このコードが印刷された識別媒体を対象物に貼り付ける作業が可能となる。これにより、本発明を利用した識別媒体を、例えば偽造防止機能を備えた履歴管理タグとして利用することができる。
【００８０】
（その他）
粘着層１０９と基材フィルム層１０８に溶剤が侵入（浸透）し易いようにする溶剤進入経路を設け、さらにコード表示層１０７の層やその下地に溶剤に触れると発色する材料を存在させてもよい。例えば、溶剤に触れると破れるマイクロカプセル中に発色剤や顕色剤を内包させ、このマイクロカプセルをコード表示層１０７の層中に存在させる。この場合、溶剤を用いて粘着層１０９の粘着機能を低下させ、識別媒体１００を不正に対象物から剥がそうとすると、粘着層１０９から溶剤が内部に侵入する。この結果、マイクロカプセルは破れ、コード表示層１０７に加えて発色模様が観察されるようになる。これにより、溶剤を用いて剥がした識別媒体１００の不正な再利用が防止される。上記の溶剤に触れると発色する技術としては、特開２００８−０５５８１３号公報に記載されている技術を利用することができる。
【００８１】
また上記の粘着層１０９および基材フィルム層１０８に溶剤が侵入し易いようにする溶剤進入経路を設けた構成において、溶剤で溶解する染料を含有するインクによりコード表示層１０７を形成してもよい。この場合、溶剤で識別媒体１００を対象物から剥がそうとすると、コード表示層１０７の印刷内容が滲み、コードの読み取りができなくなる。すなわち、識別媒体１００の不正な再利用ができなきなくなる。この技術としては、特開平１０−２５０２２８号公報に記載されて技術が利用可能である。上記の溶剤で溶解する染料を含有するインクとしては、ペンタエリスリトールトリアクリレートを５８重量部、エチレンオキサイド変性ビスフェノールＡジアクリレートを２９重量部、有機溶剤溶解染料を８重量部、２，２−ジメトキン−２−フェニルアセトフェノンを５重量部により構成されるものを挙げることができる。
【００８２】
また例えば、可視化する技術として、紫外線蛍光インクとサーモクロミックインクを併用することも可能である。この場合、紫外線を当てながら加熱すると、コードの可視化が行われる技術が提供される。この場合、読み取り装置として、紫外線ライトと加熱用の赤外線ライトを備えたものを用意し、紫外線の照射と加熱が可能な構成とすればよい。この組み合わせに限定されず、特定の条件で可視化が行われる技術は、本明細書で開示する技術の２以上を組み合わせて利用することが可能である。
【００８３】
（２）第２の実施形態
第１の実施形態において、コード表示層１０７のコード（この場合は、二次元バーコード）を表示するインクとして感熱変化インク（サーモクロミックインク）を用いる。感熱変化インクは、温度変化により、透明→発色、または発色→透明となるインクである。温度変化は、ある温度から高い温度への変化であってもよいし、ある温度から低い温度への変化であってもよい。この変化の態様は、感熱変化インクの成分を選択することで調整することができる。
【００８４】
例えば、常温で透明であるが、特定の温度以上となると発色する感熱温度インクを用いる場合を説明する。加熱すると発色するサーモクロミック材料としては、光重合組成物と、脂肪族アミンまたは芳香族アミンを含む膜材料により可逆熱変色性組成物を内包し、この膜材料が酸性物質によりイオン化しているマイクロカプセル顔料を利用することができる。なお、サーモクロミック材料として、構成材料を選択することで、上記の場合と異なり、室温で光吸収層として機能する黒または濃い色を示し、加熱すると透明になる性質のものを得ることもできる。市販されているサーモクロミック材料としては、クロマティックテクノロジー（CHROMATIC TECHNOLOGIES, INC:米国）社のサーモクロミックインキ（商品名：DYNACOLOR）が知られており、これを使用することもできる。
【００８５】
この場合、第１の実施形態における紫外光の照射の変わりに、加熱を行い、それによりコード表示層１０７の二次元バーコードを可視化する。加熱は、温風を当てる、ヒータで加熱する、手で擦る、といった方法が採用される。また、図５の識別装置を本実施形態の識別媒体の識別に用いる場合は、図５に示す構成において、加熱手段として紫外線ライト３２１の代わりに赤外線ライトを採用する。コードの読み取りに際しては、この赤外線ライトで当該識別媒体を加熱し、二次元バーコードの表示を可視化する。
【００８６】
次に、感熱変化インクを用いた別の例を説明する。図８には、識別媒体２００が示されている。識別媒体２００において、図１と同じ符号の部分は、図１に関連して説明した内容と同じであるので説明は省略する。以下、図１と異なる部分について説明する。識別媒体２００は、光学機能層１０６の非観察面の側に感熱変化層１１１とコード表示層１１２を設けた構成を有している。感熱変化層１１１は、常温で黒に発色し、ある温度以上になると透明になる感熱インクの印刷層である。感熱変化層は、パターニングされておらず、全体に一様に形成されている。コード表示層１１２は、通常のインクにより形成したにコードの表示（例えば、二次元バーコード表示）である。
【００８７】
図９には、図８の識別媒体２００の見え方の変化が示されている。まず、常温で自然光が当たっている状態において、左円偏光フィルタを介して観察すると、全体が暗色に見える。この状態が図９（Ａ）に示されている。これは、コレステリック液晶層１０２からの右円偏光フィルタの反射光が左円偏光フィルタで遮断されて、観察されず、他方で、その下の感熱変化層１１１は常温で暗色であるからである。
【００８８】
そして、左円偏光フィルタを介した観察において、識別媒体２００を加熱すると、感熱変化層１１１が透明となり、その下のコード表示層１１２のコード表示１１２’が見える。この状態が図９（Ｂ）に示されている。また、常温で右円偏光フィルタを介した観察を行った場合、左円偏光フィルタ層として機能する光学機能層１０６の機能により、コレステリック液晶層１０２からの右円偏光の反射光だけが観察される。このため、図９（Ｃ）に示すようにコレステリック液晶層１０２に対するホログラム加工１０３に基づくホログラム像１０３’が選択的に見える。この状態は、感熱変化層１１１の状態に関係ないので、右円偏光フィルタを介した観察において、加熱を行っても図９（Ｃ）に示すように、ホログラム像１０３’のみが見える。
【００８９】
次に、円偏光フィルタを用いずに識別媒体２００を直視した場合を説明する。この場合、常温では、感熱変化層１１１が暗色となるので、コレステリック液晶層１０２の背後が暗色となり、コレステリック液晶層１０２の反射光だけが観察される。よって、図９（Ｄ）に示されるように、ホログラム像１０３’のみが見える。また、直視した状態で加熱した場合、感熱変化層１１１が透明になるので、コード表示層１１２の二次元バーコード１１２’も見える。よって、図９（Ｅ）に示すようにホログラム像１０３’に加えて、コード表示１１２’も同時に見える。
【００９０】
図９に例示する態様において、図９（Ｂ）の加熱した状態で左円偏光フィルタを介した読み取りにおいてのみ、コード表示１１２’を正常に読み取れる。図９（Ｅ）の場合は、ホログラム像１０３’が邪魔となってコード表示１１２’を正常に読み取れない。図９（Ｅ）には、ホログラム像１０３’により、コード表示１１２’が正確に読み取れない状態が誇張して示されている。
【００９１】
（３）第３の実施形態
第２の実施形態の構成において、感熱変化インクの代わりに、フォトクロミック材料を含んだインクを使用する。フォトクロミック材料は、特定の光（例えば紫外線）を照射すると、発色状態にあるものが透明に、あるいは透明な状態であるものが発色した状態に変化する材料である。
【００９２】
例えば、図８に示す構成において、感熱変化層１１１の変わりに紫外線を照射すると、黒に発色した状態から透明になるフォトクロミック材料を含んだ層を採用する。この場合、加熱を紫外線の照射に置き換えて考えることで、図９の場合と同様の光学機能を得ることができる。また、読み取り装置は、図５の構成をそのまま用いることができる。
【００９３】
（４）第４の実施形態
図１０には、識別媒体４００が示されている。識別媒体４００の図１と同じ符号の部分は、図１に関連して説明した部分と同じである。識別媒体４００は、コード表示層１０７の非観察面側に磁性粉カプセル層４０１および基材４０２を配置した構造を備えている。なお、基材４０２の裏面側には、粘着層が配置されるが図示省略されている。
【００９４】
磁性粉カプセル層４０１は、分散媒体、酸化鉄の粉、酸化チタンの粉をマイクロカプセル化したものを含む層である。この技術については、例えば特許第２８４１２９１号公報に記載されている。ここで、酸化鉄の粉は黒っぽい暗色の色を示し、酸化チタンの粉は、白っぽい白色系の色を示す。基材層４０２は、基材となる樹脂のフィルムである。なお、この態様では、実施形態１の場合と異なり、コード表示層１０７は、黒の通常インクで印刷されているものとする。
【００９５】
磁性カプセル層４０１中の磁性カプセルは、通常の状態（外部から磁場を意図的に加えていない状態）において、酸化鉄の粉がマイクロカプセル中で分散しているので、暗色の見た目を示す。この状態が図１０（Ａ）に示されている。そして、背面側（非観察面側）に磁石４０３を近づけ、磁場を加えると、磁石４０３に酸化鉄の粉が引き寄せられ、磁性カプセル層４０１の非観察面側が黒くなる。またこの際、磁性カプセル層４０１の観察面側は、酸化チタンの粉が残るので、白っぽい色を示す状態となる。
【００９６】
図１１には、識別媒体４００の光学機能の一例が示されている。自然光が当たった状態において、磁場を加えないで左円偏光フィルタを介して観察すると、右円偏光を反射するコレステリック液晶層１０２のホログラム像は見えず、コード表示層１０７のコード表示と磁性カプセル層４０１の暗色の状態が同時に観察される。この場合、磁性カプセル層４０１の全面暗色の背景にコード表示が紛れ、コード表示の読み取りは行えない（あるいは読み取り難い）。この状態が図１１（Ａ）に示されている。
【００９７】
次に、左円偏光フィルタを介して観察している状態において、図１０（Ｂ）に示すように磁石４０３を識別媒体４００の背面側に近付けると、その側に酸化鉄の粉が移動し、磁性カプセル層４０１の観察面側が白っぽい状態となる。このため、図１１（Ｂ）に示すように、コード表示層１０７のコード表示１０７’が見える状態となる。この状態において、コード１０７’の読み取りが可能となる。
【００９８】
右円偏光フィルタを介して識別媒体を観察した場合、コレステリック液晶層１０２からの反射光が選択的に観察されるので、磁場の有無に無関係に、図１１（Ｃ）に示すようにホログラム加工１０３に基づくホログラム１０３’が観察される。
【００９９】
次に、円偏光フィルタを用いずに直視した場合を説明する。この場合、磁場を加えないと、図１０（Ａ）の状態となり、コレステリック液晶層１０２の背後が一面暗色になるので、図１１（Ｄ）に示すようにホログラム像１０３’が選択的に見える。そして磁場を加えた場合、図１０（Ｂ）の状態となり、コード表示層１０７のコード表示１０７’が見える。ただし、この際、コード表示１０７’は、ホログラム像１０３‘と同時に見える。この状態が、図１１（Ｅ）に示されている。図１１（Ｅ）の状態では、コード表示１０７’とホログラム像１０３’が同時に検出されるので、ホログラム像１０３’が邪魔となり、コード表示１０７’を読み取ることはできない。
【０１００】
なお、図５の装置を用いて、識別媒体４００の識別およびデータの読み取りを行う場合は、ステージ３０５の内部に電磁石を配置し、この電磁石への通電の有無で磁場の印加の有無の制御を行えるようにすればよい。
【０１０１】
（５）第５の実施形態
図１２には、識別媒体５００が示されている。識別媒体５００の図１と同じ符号の部分は、図１に関連して説明した部分と同じである。識別媒体５００は、コード表示層１０７の非観察面側にコロイドフォトニック結晶ゲル層５０１および基材５０２と配置した構造を備えている。なお、基材５０２の裏面側には、粘着層が配置されるが図示省略されている。
【０１０２】
コロイドフォトニック結晶ゲル層５０１は、コロイド粒子、網目状高分子、イオン液体からなる層状（シート状）の高分子ゲルである。コロイドフォトニック結晶ゲルについては、ＷＯ２００９−１４８０８２号公報に記載されている。コロイド粒子としては、シリカ粒子、ポリスチレン粒子、高分子ラテックス粒子、二酸化チタン等の酸化物の粒子、金属粒子、これらの粒子の複数を組み合わせた複合粒子が挙げられる。網目状高分子は、重合性の水溶性分子が重合によって形成した高分子が架橋によって三次元ネットワーク構造を構成している網目状の高分子である。網目状高分子は、コロイド粒子の位置を固定し、維持するように機能する。網目状高分子としては、アクリルアミドや各種アクリルアミド誘導体（例えば、Ｎ−メチロールアクリルアミドやＮ―アクリロイソアミノプロパノール、Ｎ―イソプロピルアクリルアミド等）が利用可能である。イオン液体は、水および有機溶媒の代わりとして機能する。イオン液体は、実質的に蒸気圧が０であるため、蒸発せず、コロイドフォトニック結晶ゲル層５０１の高分子ゲルの状態を維持する。イオン液体としては、１−ブチル−３−メチルイミダゾリウムアセテート、１−エチル−３−メチルイミダゾリウムアセテート、１−エチル−３−メチルイミダゾリウムビス（トリフルオロメチルスルフォニル）イミド、１−へキシル−３−メチルイミダゾリウムクロライド等から選ばれたものが利用される。
【０１０３】
この例では、コロイド粒子はポリスチレンの粒子を用い、網目状高分子はアクリルアミドを用いている。イオン液体は１−ブチル−３−メチルイミダゾリウムアセテートを用いている。コロイドフォトニック結晶ゲル層５０１は、後述する原理により特定の中心波長の光を反射する。そして、外力を加える等して周期的に並んだコロイド粒子間の距離を変えると、反射光の波長がシフトし、見た目の色が変化する。この例では、定常状態において正面から見た場合にコロイドフォトニック結晶ゲル層５０１が緑に見えるように周期的に並んだコロイド粒子間の距離が調整されている。また、この例では、コロイドフォトニック結晶ゲル層５０１の色に合わせて、コード印刷層１０７の印字を同じ緑のインクで行っている。
【０１０４】
以下、コロイドフォトニック結晶ゲル層５０１の製造方法の一例を説明する。まず、コロイド粒子が網目状高分子によって固定化されたコロイド結晶ゲルを得る。次に、このコロイド結晶ゲルにイオン液体を含浸させる。この作業は、コロイド結晶ゲルをイオン液体に浸漬させることで行われる。こうしてコロイドフォトニック結晶ゲル層５０１の基となる材料を得る。そして、このコロイドフォトニック結晶ゲル層５０１の基となる材料をスライスすることで、コロイドフォトニック結晶ゲル層５０１を得る。
【０１０５】
（コロイドフォトニック結晶ゲル層の光学機能）
図１３には、コロイドフォトニック結晶ゲル層５０１の光学機能の原理が概念的に示されている。コロイドフォトニック結晶ゲル層の５０１は、複数のコロイド粒子５０３が周期的に分布している。各コロイド粒子５０３からの反射光は、Bragg反射の原理により干渉し、特定の角度から見た場合に特定の干渉光が観察される（図１３（Ａ））。そして見る角度を変えると、干渉する波長が変化し、色合いが変化する。具体的には、見る角度を大きくすると、Bragg反射の条件における光路差が短くなり、より短波長側で干渉が生じ、観察される反射光は、短波長側の色に変化する。なお見る角度は、視線とコロイドフォトニック結晶ゲル層５０１への垂線とのなす角度として定義される。
【０１０６】
図１３（Ａ）に示す状態において厚み方向に圧力を加え、厚み方向に圧縮した様子が図１３（Ｂ）に示されている。厚み方向に圧縮されることで、上下に隣接するコロイド粒子５０３間の距離が狭まり、反射される光の干渉波長が短くなる。これにより、より短波長側の光が観察される。
【０１０７】
ここでは、反射光の短波長側へのシフトを説明したが、全体を膨張させれば、逆に長波長側に反射光がシフトする。また、部分的に変形させた場合には、圧縮された部分からの反射光は短波長側にシフトし、伸長された部分からの反射光は長波長側にシフトする。
【０１０８】
また、見る角度を大きくした場合（つまり、より斜めから見ようとした場合）に干渉する光の光路差が短くなり、観察される光がより短波長側にシフトする。この現象をカラーシフト現象（ブルーシフト現象）という。このカラーシフト現象は、繰り返しの多層構造を有するコレステリック液晶層においても同様に生じる。
【０１０９】
（識別機能）
図１４に識別媒体５００を観察した場合の見た目の変化を示す。識別媒体５００は、厚み方向に圧力を加えることで、コードが可視化される機能を有する。圧力は、透過する光の偏光状態を乱さない材質の透明な材料（例えば、ＴＡＣ（トリアセチルセルロース））で構成される圧力板で識別媒体５００を押さえつけることで行われる。また、観察やコードの読み取りは、この圧力板越しに行われる。識別媒体５００からのデータを読み取り行う読み取り装置としては、図５の読み取り装置３００において、識別媒体１００を上方向から押す上記の圧力板を備えた構成が挙げられる。
【０１１０】
まず圧力を加えないで左偏光フィルタを介して、識別媒体５００を観察した場合、コレステリック液晶層１０２からの右円偏光は観察できない。この際、コード表示層１０７からの反射光は観察する側に届くが、コード表示の色がその下地となるコロイドフォトニック結晶ゲル層５０１と同じ（この場合は、緑）であるので、コードの表示は認識できない。この様子が、図１４（Ａ）に示されている。この状態で、厚み方向に圧力を加えると、コロイドフォトニック結晶ゲル層５０１が厚み方向に圧縮され、コロイドフォトニック結晶ゲル層５０１からの反射光が短波長側にシフトする。この結果、下地の色彩との違いでコード表示層１０７のコード１０７’が浮かび上がって見える。この状態が図１４（Ｂ）に示されている。当然、この状態でコード１０７’の読み取りが可能となる。
【０１１１】
右円偏光フィルタを介して識別媒体５００を見ると、コード表示層１０７からの左円偏光の反射光は、右円偏光フィルタで遮断されるので、コレステリック液晶層１０２からのホログラム像１０３’が選択的に見える。この状態が図１４（Ｃ）に示されている。光学機能層１０６から観察面側に出射する光は、左円偏光のみであるので、右円偏光フィルタを介して場合、圧力の有無に関係なく、図１４（Ｃ）の状態が観察される。
【０１１２】
圧力を加えずに、且つ、円偏光フィルタを用いずに直視した場合、コレステリック液晶層１０２の非観察面側からの反射光は、全面一様な緑であるので、図１４（Ｄ）に示すように、コレステリック液晶層１０２から反射されるホログラム像１０３’のみが観察される。この状態で圧力を加えると、コロイドフォトニック結晶ゲル層５０１の色が短波長側の色に変化するので、コード表示層１０７のコード表示１０７’が浮かび上がり、ホログラム像１０３’と同時に見える。この場合、ホログラム像１０３’が邪魔になるので、コード表示１０７’の読み取り（データの読み取り）は行えない。
【産業上の利用可能性】
【０１１３】
本発明は、真贋の識別を行うための技術に利用することができる。
【符号の説明】
【０１１４】
１００…識別媒体、１０１…透明保護層、１０２…コレステリック液晶層、１０３…ホログラム加工、１０４…λ／４板、１０５…直線偏光フィルタ層、１０６…円偏光フィルタ層、１０７…コード表示層、１０８…通常印刷層、１０９…基材フィルム層、１１０…粘着層、１１１…感熱変化層、１１２…コード表示層、２００…識別媒体、２０２…インターネット回線、２０４…アンテナ、２０５…携帯電話、２０８…カメラ、２０９…円偏光フィルタ、３００…読み取り装置、３０３…ライト、３０４…円偏光フィルタ、３０５…ステージ、３２０…拡大レンズ、６０１…金属反射層、６０２…エンボス加工層、６０３…ホログラム反射層、４０１…磁性粉カプセル層、４０２…基材、４０３…磁石、５００…識別媒体、５０１…コロイドフォトニック結晶ゲル層、５０２…基材、５０３…コロイド粒子。
【図１】
0005554653.tif 000002
【図２】
0005554653.tif 000003
【図３】
0005554653.tif 000004
【図４】
0005554653.tif 000005
【図５】
0005554653.tif 000006
【図６】
0005554653.tif 000007
【図７】
0005554653.tif 000008
【図８】
0005554653.tif 000009
【図９】
0005554653.tif 000010
【図１０】
0005554653.tif 000011
【図１１】
0005554653.tif 000012
【図１２】
0005554653.tif 000013
【図１３】
0005554653.tif 000014
【図１４】
0005554653.tif 000015